(57)【特許請求の範囲】
【請求項１】
止水性調整欠損材（２）と目地材本体（３）から構成され、
止水性調整欠損材（２）は、鉄板やコンクリートとの密着性が良く、かつ止水効果を有する柔軟なブチルゴムを素材として、横断面前後に長い方形の縦角棒状に構成された調整欠損材本体（２Ａ）と、この調整欠損材本体（２Ａ）における左右方向の中心に、当該調整欠損材本体（２Ａ）の長手方向に配設された縦長の鉄板でなる芯材（２Ｂ）から構成され、
目地材本体（３）は、目地本体（３Ａ）と、共廻り防止ボルト（３Ｂ）と、ワッシャー（３Ｃ）と、蝶ナット（３Ｄ）から構成され、目地本体（３Ａ）は、硬質樹脂を素材として、止水性調整欠損材（２）の左右側面における前方部分に外方から当接する左右側面（３Ａ１、３Ａ１）と、左右側面（３Ａ１、３Ａ１）の後端に連設された外方に折曲げた屈曲辺（３Ａ２、３Ａ２）と、左右側面（３Ａ１、３Ａ１）の先端間にある左右方向へ伸縮するバネ部（３Ａ３）からなり、バネ部（３Ａ３）には上下方向に所定間隔で共廻り防止ボルト貫入用孔（３Ａ３１）が開設され、柔軟で耐候性に優れた素材の特殊軟質樹脂を素材として縦長の帯状に構成された前面縦帯（３Ａ４）が、目地本体（３Ａ）のバネ部（３Ａ３）における前面に一体に添着され、この前面縦帯（３Ａ４）には、バネ部（３Ａ３）における共廻り防止ボルト貫入用孔（３Ａ３１）に対応する共廻り防止ボルト貫入用孔（３Ａ４１）が開設され、共廻り防止ボルト（３Ｂ）は、合成樹脂を素材としてなるボルト本体（３Ｂ１）と、ボルト本体（３Ｂ１）の後端に当該ボルト本体の長手方向と直交する状態で略Ｔ字状に連結されたくさび状の縦枠（３Ｂ２）とから構成され、かつこのくさび状の縦枠は平面から見てバネ部（３Ａ３）を構成するＶ字状折曲げに嵌着するよう構成されていると共に、ボルト本体（３Ｂ１）には所定の位置をもって折れ目（３Ｂ３）が刻設され、ワッシャー（３Ｃ）と蝶ナット（３Ｄ）とは、ボルト本体（３Ｂ１）における折れ目（３Ｂ３）の刻設箇所より前方部分に着脱自在に装着するよう構成され、
止水性調整欠損材（２）の前方部分は、目地本体（３Ａ）における左右側面（３Ａ１、３Ａ１）内に、当該止水性調整欠損材（２）の前端面がバネ部（３Ａ３）に接する状態で嵌込み固定されていることを特徴とする土木用止水コンクリートクラック誘発目地材。
【請求項２】
目地本体（３Ａ）における左右側面（３Ａ１、３Ａ１）の外側面に、多数の縦筋（３Ａ１１）で形成された凹凸面が構成されている請求項１記載の土木用止水コンクリートクラック誘発目地材。
【請求項３】
請求項１あるいは請求項２記載の土木用止水コンクリートクラック誘発目地材を取付けた型枠用パネル（４）を配設したのち、コンクリート（５）を打設し、打設後は、ワッシャー、蝶ナットを取外してから型枠用パネル（４）を脱型し、共廻り防止ボルト（３Ｂ）の目地本体より出ている部分を叩き折るよう構成されていることを特徴とする土木用止水コンクリートクラック誘発目地材の使用方法。
【発明の詳細な説明】
【０００１】
【発明の属する技術分野】
本発明は、土木コンクリート構造物に発生する有害クラックを制御する為のクラック誘発目地の欠損材部分に関するもので、特に止水性能を要求される場合の土木用止水コンクリートクラック誘発目地材とその使用方法に係るものである。
【０００２】
【従来の技術】
土木コンクリート構造物にクラック誘発目地を設ける場合、あらかじめ型枠の誘発目地を設ける位置に、木または樹脂製で断面が台形状の目地棒を釘止めしてからコンクリートを打設し、コンクリートを欠損させておく。
【０００３】
【発明が解決しようとする課題】
従来の技術で述べたものにあっては、下記のような問題点を有していた。
型枠を脱型後に、コンクリート躯体から台形状の目地棒を抜き取り、欠損部分にはシーリング材、樹脂モルタル等を充てんするが、欠損の充てん材が数年で脱落し、防水や止水性能に関する信頼性がなかった。
また、一定の防水性能を有する埋め殺しの目地材などもあるが、水に浸る場合の止水には信頼性に不安があった。どちらの場合も、別に止水の処理を行わなければならず、非常に手間のかかる施工となっていた。
【０００４】
本発明は、従来の技術の有するこのような問題点に鑑みなされたものであり、その目的とするところは、次のようなことのできるものを提供しようとするものである。
従来は、誘発目地が有する数年での充てん材の脱落と補修といった問題点ばかりでなく、充てん材の経年変化による防水性能の低下が考えられた。
また、一定の防水性能を有する誘発目地材はあったが、水に浸る場合など止水性能をより要求する場合、別に止水の施工を行うと云う手間をかけなければならなかった。
すなわち、従来は土木コンクリート構造物において、クラックを誘発させる為の欠損を設ける場合、一般的な防水性能までは検討するが、水に浸る部分等は、施工性や良い手段がない為、別に止水材等の施工を行うと云う手間をかけなければならなかった。
そこで、本発明は、施工性の良い柔軟で脱落しない耐候性のある埋め殺し樹脂製クラック誘発目地材に止水性能をも持たせようとするものである。
【０００５】
【課題を解決するための手段】
上記目的を達成するために、本発明は下記のようになるものである。
第１発明は、止水性調整欠損材２と目地材本体３から構成され、
Ａ．止水性調整欠損材２は、鉄板やコンクリートとの密着性が良く、かつ止水効果を有する柔軟なブチルゴムを素材として、横断面前後に長い方形の縦角棒状に構成された調整欠損材本体２Ａと、この調整欠損材本体２Ａにおける左右方向の中心に、当該調整欠損材本体２Ａの長手方向に配設された縦長の鉄板でなる芯材２Ｂから構成され、
Ｂ．目地材本体３は、目地本体３Ａと、共廻り防止ボルト３Ｂと、ワッシャー３Ｃと、蝶ナット３Ｄから構成され、
ａ．目地本体３Ａは、硬質樹脂を素材として、止水性調整欠損材２の左右側面における前方部分に外方から当接する左右側面３Ａ１、３Ａ１と、左右側面３Ａ１、３Ａ１の後端に連設された外方に折曲げた屈曲辺３Ａ２、３Ａ２と、左右側面３Ａ１、３Ａ１の先端間にある左右方向へ伸縮するバネ部３Ａ３からなり、バネ部３Ａ３には上下方向に所定間隔で共廻り防止ボルト貫入用孔３Ａ３１が開設され、柔軟で耐候性に優れた素材の特殊軟質樹脂を素材として縦長の帯状に構成された前面縦帯３Ａ４が、目地本体３Ａのバネ部３Ａ３における前面に一体に添着され、この前面縦帯３Ａ４には、バネ部３Ａ３における共廻り防止ボルト貫入用孔３Ａ３１に対応する共廻り防止ボルト貫入用孔３Ａ４１が開設され、
ｂ．共廻り防止ボルト３Ｂは、合成樹脂を素材としてなるボルト本体３Ｂ１と、ボルト本体３Ｂ１の後端に当該ボルト本体の長手方向と直交する状態で略Ｔ字状に連結されたくさび状の縦枠３Ｂ２とから構成され、かつこのくさび状の縦枠は平面から見てバネ部３Ａ３を構成するＶ字状折曲げに嵌着するよう構成されていると共に、ボルト本体３Ｂ１には所定の位置をもって折れ目３Ｂ３が刻設され、
ｃ．ワッシャー３Ｃと蝶ナット３Ｄとは、ボルト本体３Ｂ１における折れ目３Ｂ３の刻設箇所より前方部分に着脱自在に装着するよう構成され、
Ｃ．止水性調整欠損材２の前方部分は、目地本体３Ａにおける左右側面３Ａ１、３Ａ１内に、当該止水性調整欠損材２の前端面がバネ部３Ａ３に接する状態で嵌込み固定されている土木用止水コンクリートクラック誘発目地材である。
【０００６】
第１発明は、下記のように構成できる。
目地本体３Ａにおける左右側面３Ａ１、３Ａ１の外側面に、多数の縦筋３Ａ１１で形成された凹凸面が構成されている。
【０００７】
第２発明は、第１発明の土木用止水コンクリートクラック誘発目地材を取付けた型枠用パネル４を配設したのち、コンクリート５を打設し、打設後は、ワッシャー、蝶ナットを取外してから型枠用パネル４を脱型し、共廻り防止ボルト３Ｂの目地本体より出ている部分を叩き折るよう構成されている土木用止水コンクリートクラック誘発目地材の使用方法である。
【０００８】
【発明の実施の形態】
以下、本発明の実施の形態を実施例にもとづき図面を参照して説明する。
本発明は、第１発明の土木用止水コンクリートクラック誘発目地材と、第２発明の土木用止水コンクリートクラック誘発目地材の使用方法からなる。
１は第１発明のコンクリートクラック誘発目地材で、止水性調整欠損材２と目地材本体３から構成されている。
【０００９】
Ａ．止水性調整欠損材２は、鉄板やコンクリートとの密着性が良く、かつ止水効果を有する柔軟なブチルゴムを素材として、横断面前後に長い方形の縦角棒状に構成された調整欠損材本体２Ａと、この調整欠損材本体２Ａにおける左右方向の中心に、当該調整欠損材本体２Ａの長手方向に配設された縦長の鉄板でなる芯材２Ｂから構成されている。
【００１０】
Ｂ．目地材本体３は、目地本体３Ａと、共廻り防止ボルト３Ｂと、ワッシャー３Ｃと、蝶ナット３Ｄから構成されている。
ａ．目地本体３Ａは、硬質樹脂を素材として、止水性調整欠損材２の左右側面における前方部分に外方から当接する左右側面３Ａ１、３Ａ１と、左右側面３Ａ１、３Ａ１の後端に連設された外方に折曲げた屈曲辺３Ａ２、３Ａ２と、左右側面３Ａ１、３Ａ１の先端間にある左右方向へ伸縮するバネ部３Ａ３からなり、このバネ部３Ａ３は横断面Ｖ字状と逆Ｖ字状の折曲げが連続して構成され、このバネ部３Ａ３には上下方向に所定間隔で共廻り防止ボルト貫入用孔３Ａ３１が開設されている。
加えて、柔軟で耐候性に優れた素材の特殊軟質樹脂を素材として縦長の帯状に構成された前面縦帯３Ａ４が、目地本体３Ａのバネ部３Ａ３における前面に一体に添着されている。
この前面縦帯３Ａ４には、バネ部３Ａ３における共廻り防止ボルト貫入用孔３Ａ３１に対応する共廻り防止ボルト貫入用孔３Ａ４１が開設されている。
従って、この前面縦帯３Ａ４は、バネ部の伸縮に応動することになる。
【００１１】
なお、目地本体３Ａは、下記のように構成することができる。
すなわち、目地本体３Ａにおける左右側面３Ａ１、３Ａ１の外側面に、多数の縦筋３Ａ１１で形成された凹凸面が構成されている。
この凹凸面によりコンクリートとの密着性を向上させることができる。
ｂ．共廻り防止ボルト３Ｂは、合成樹脂を素材としてなるボルト本体３Ｂ１と、ボルト本体３Ｂ１の後端に当該ボルト本体の長手方向と直交する状態で略Ｔ字状に連結されたくさび状の縦枠３Ｂ２から構成され、かつこのくさび状の縦枠は平面から見てバネ部３Ａ３を構成するＶ字状折曲げに嵌着するよう構成されていると共に、ボルト本体３Ｂ１には所定の位置（目地本体と面一の位置）をもって折れ目３Ｂ３が刻設されている。
ｃ．ワッシャー３Ｃと蝶ナット３Ｄとは、目地本体３Ａに嵌着したボルト本体３Ｂ１における折れ目３Ｂ３の刻設箇所より前方部分に着脱自在に装着するよう構成されている。
Ｃ．止水性調整欠損材２の前方部分は、目地本体３Ａにおける左右側面３Ａ１、３Ａ１内に、当該止水性調整欠損材２の前端面がバネ部３Ａ３に接する状態で嵌込み固定されている。
【００１２】
土木用止水コンクリートクラック誘発目地材を取付ける型枠用パネル４は、正面方形に構成された公知のものであるが、目地本体３Ａにおけるバネ部３Ａ３の共廻り防止ボルト貫入用孔３Ａ３１に対応するよう共廻り防止ボルト貫入用孔４Ａが開設されている。
【００１３】
第２発明の土木用止水コンクリートクラック誘発目地材の使用方法について説明する。
まず、型枠用パネル４に所定間隔で共廻り防止ボルト貫入用孔４Ａを開け、あらかじめ止水性調整欠損材２、所定の位置（目地本体と面一の位置）に折れ目の入った共廻り防止ボルト３Ｂにより所定間隔で固定された目地本体３Ａを、ワッシャー３Ｃで締められる蝶ナット３Ｄで型枠用パネルに固定し、コンクリート５を打設する。
打設後は、ワッシャー、蝶ナットを取外してから型枠用パネル４を脱型し、共廻り防止ボルト３Ｂの目地本体より出ている部分を叩き折ることにより、あらかじめ入れてある折れ目が目地本体と面一であるから、そのまま仕上げとなる。
【００１４】
【発明の効果】
本発明は、上述のように構成されているから、下記のような効果を期待することができる。
１．目地材本体３はコンクリートの収縮に追従でき、一定の防水性能を有するばかりでなく、止水性調整欠損材２の効果により充分な止水性能を発揮することができる。
２．土木用止水コンクリートクラック誘発目地材を型枠用パネルセット時に同時にセットできる。
３．型枠用パネルの脱型時には、共廻り防止ボルトにおけるボルト本体を折る作業が残るだけで、ほぼ全ての作業を完了することができる。
４．止水性調整欠損材で欠損率を調整できる。
５．止水性調整欠損材、目地材本体を共廻り防止ボルトで固定するよう構成されているから、メタルフォーム、樹脂パネル等型枠用パネルを選ばず取付けできる。
６．施工業者による仕上がりのばらつきがなく、脱落することもなく止水性能が得られる。
７．このほか、安価に製造できる、部品点数が少ないので組立が容易である、経済的である、などの効果をも有するものである。
【図面の簡単な説明】
【図１】型枠用パネルに土木用止水コンクリートクラック誘発目地材を取付けた状態の斜視図である。
【図２】同上の要部拡大図である。
【図３】Ａ−Ａ線断面図である。
【図４】Ｂ−Ｂ線断面図である。
【図５】土木用止水コンクリートクラック誘発目地材を型枠用パネルに取付けた分解斜視図である。
【図６】Ｃ−Ｃ線矢視図である。
【図７】Ｄ−Ｄ線断面図である。
【図８】Ｅ−Ｅ線断面図である。
【図９】Ｆ−Ｆ線断面図である。
【図１０】Ｇ−Ｇ線断面図である。
【図１１】型枠用パネル脱型時における土木コンクリート構造物への土木用止水コンクリートクラック誘発目地材の埋込み状態を示す斜視図である。
【図１２】同上の要部拡大図である。
【図１３】図１２における要部拡大横断面図である。
【図１４】共廻り防止ボルトの平面図である。
【図１５】同上の斜視図である。
【符号の説明】
１  土木用止水コンクリートクラック誘発目地材
２  止水性調整欠損材
３  目地材本体
４  型枠用パネル
５  コンクリート
【図１】
0003895107.tif 000002
【図２】
0003895107.tif 000003
【図３】
0003895107.tif 000004
【図４】
0003895107.tif 000005
【図５】
0003895107.tif 000006
【図６】
0003895107.tif 000007
【図７】
0003895107.tif 000008
【図８】
0003895107.tif 000009
【図９】
0003895107.tif 000010
【図１０】
0003895107.tif 000011
【図１１】
0003895107.tif 000012
【図１２】
0003895107.tif 000013
【図１３】
0003895107.tif 000014
【図１４】
0003895107.tif 000015
【図１５】
0003895107.tif 000016